(57)【要約】      （修正有）【課題】対となった各種着用物に広く実施可能な対になった着用物を提供する。【解決手段】第１着用部１０及び第２着用部２０、第１接続部材３０及び第２接続部材４０を含む。第１着用部１０は第１開口部１１及び第１被覆部１２を備え、当該第１接続部材３０が当該第１着用部１０に設けられる。第２着用部２０は第２開口部２１及び第２被覆部２２を備え、当該第２接続部材４０が当該第２着用部２０に設けられる。第１接続部材３０と第２接続部材４０を結合することで、当該第１着用部１０と当該第２着用部２０が組み合わされる。これより、対になった着用物１における収納問題を改善可能となる。【選択図】図１
0003196871.tif 000002
【実用新案登録請求の範囲】
【請求項１】
第１開口部及び第１被覆部を備えた第１着用部、
第２開口部及び第２被覆部を備えた第２着用部、
当該第１着用部に設けられた第１接続部材、及び
当該第２着用部に設けられた第２接続部材を含み、
当該第１接続部材と当該第２接続部材が互いに結合することで、当該第１着用部と当該第２着用部が組み合わされる、
対になった着用物。
【請求項２】
当該第１着用部の形状と当該第２着用部の形状が同じである請求項１に記載の対になった着用物。
【請求項３】
前記着用物が靴下の対、手袋の対、袖カバーの対、のいずれかである請求項１に記載の対になった着用物。
【請求項４】
当該第１接続部材はボタンを含み、当該第２接続部材はボタン掛合部を含む請求項１，２又は３に記載の対になった着用物。
【請求項５】
当該ボタン掛合部が切欠き又は弾性リングであり、当該ボタン掛合部と当該ボタンは嵌合又は掛合により結合される請求項４に記載の対になった着用物。
【請求項６】
当該第１接続部材は更に保護層を含み、当該保護層が当該第１着用部に設けられ、且つ、当該ボタンが当該保護層に設けられる請求項４に記載の対になった着用物。
【請求項７】
当該第１接続部材は磁性部材を含み、当該第２接続部材は磁化可能物質を含む請求項１，２又は３に記載の対になった着用物。
【請求項８】
当該磁性部材は受け台及び磁石を含み、当該受け台が当該第１着用部に設けられ、当該磁石が当該受け台に設けられる請求項７に記載の対になった着用物。
【請求項９】
当該受け台は、当該磁石を収容する凹溝を備える請求項８に記載の対になった着用物。
【請求項１０】
当該第１接続部材は更に保護膜を含み、当該保護膜が当該受け台内に設けられて当該磁石を覆う請求項８に記載の対になった着用物。
【請求項１１】
当該第１接続部材は更に保護層を含み、当該保護層が当該第１着用部に設けられ、且つ、当該磁石が当該保護層に設けられる請求項８に記載の対になった着用物。
【請求項１２】
当該磁化可能物質が表面に凸状ブロックを備える請求項７に記載の対になった着用物。
【請求項１３】
当該第１接続部材は接着部材を含み、当該第２接続部材は接着物を含む請求項１，２又は３に記載の対になった着用物。
【請求項１４】
当該接着部材は受け台及び繊維接着シートを含み、当該受け台が当該第１着用部に設けられ、当該繊維接着シートが当該受け台に設けられる請求項１３に記載の対になった着用物。
【請求項１５】
当該受け台は、当該繊維接着シートを収容する凹溝を備える請求項１４に記載の対になった着用物。
【請求項１６】
当該第１接続部材は更に保護層を含み、当該保護層が当該第１着用部に設けられ、且つ、当該接着部材が当該保護層に設けられる請求項１３に記載の対になった着用物。
【請求項１７】
当該接着物は他の繊維接着シートである請求項１３に記載の対になった着用物。
【請求項１８】
当該第１接続部材は銅ボタンを含み、当該第２接続部材は銅ボタン押圧部を含み、当該銅ボタン押圧部と当該銅ボタンが係合する請求項１，２又は３に記載の対になった着用物。
【請求項１９】
当該第１接続部材はバンドを含み、当該第２接続部材は切欠きであり、当該バンドは当該切欠きに挿入される請求項１，２又は３に記載の対になった着用物。
【請求項２０】
当該第１接続部材と当該第２接続部材はいずれもバンドであり、これらバンドが互いに結び合わされる請求項１，２又は３に記載の対になった着用物。
【考案の詳細な説明】
【技術分野】
【０００１】
本考案は衣類に関し、特に対になった着用物に関する。
【背景技術】
【０００２】
衣服の収納は家庭生活において非常に重要な問題である。良好な衣類収納は生活を便利にするだけでなく、人として良い生活習慣を養うことにもつながる。衣類の収納に際して最も頻発する問題としては、対となった靴下、手袋、袖カバー等の複数組の着用物を洗濯機で洗浄する場合に、他の大型衣類と混在してしまい干すのが不便になるとの事態がある。そこで、使用者は対になった着用物と大型衣類とを分別すべく、これら対になった着用物を洗濯袋に入れてから洗濯機で洗うことを選択し得る。
【０００３】
しかし、洗濯袋で対になった着用物をまとめることは衣類を予め分類するのに有効ではあるが、洗濯袋に対になった着用物としてサイズ違いのものや、色又はデザインが同じ或いは類似したものを複数組入れた場合、分類し直す作業を行わねばならない。例えば、色は同じだがサイズが複数ある靴下や、色が同じでデザイン違いの靴下などをしっかりと分類しておかなければ、収納時にいくつもの組み合わせが存在することになり、衣類を干す際や分類時に不便であった。
【０００４】
従って、洗濯袋等を用いて対になった着用物をまとめる方法では、収納の問題を効果的に解決することは不可能である。
【０００５】
以上に鑑み、上記の欠点、即ち本業界で解決を要する課題を改善する方案を提供する。
【考案の概要】
【考案が解決しようとする課題】
【０００６】
本考案は、改良構造によって上述の収納における欠点を改善可能であるとともに、対となった各種着用物に広く実施可能な対になった着用物を提供することを目的とする。
【課題を解決するための手段】
【０００７】
上記の目的を達成すべく、本考案の対になった着用物は、第１開口部及び第１被覆部を備えた第１着用部、第２開口部及び第２被覆部を備えた第２着用部、当該第１着用部に設けられた第１接続部材、及び当該第２着用部に設けられた第２接続部材を含み、当該第１接続部材と当該第２接続部材が互いに結合することで、当該第１着用部と当該第２着用部が組み合わされる。
【０００８】
上述の目的、技術的特徴及び利点をより明確とするために、以下に好ましい実施例と図面を組み合わせて詳細に説明する。
【図面の簡単な説明】
【０００９】
【図１】本考案における対になった着用物の模式図である。
【図２ａ】本考案における第１実施例の対になった着用物の模式図である。
【図２ｂ】本考案における第２実施例の対になった着用物の模式図である。
【図３】本考案の対になった着用物の操作を示す図である。
【図４】本考案における第３実施例の対になった着用物の模式図である。
【図５ａ】本考案における第３実施例の対になった着用物の部分断面図である。
【図５ｂ】本考案における第４実施例の対になった着用物の組み合わせ時の断面図である。
【図６】本考案における第５実施例の対になった着用物の模式図である。
【図７】本考案における第５実施例の対になった着用物の部分断面図である。
【図８】本考案における第６実施例の対になった着用物の模式図である。
【図９】本考案における第７実施例の対になった着用物の模式図である。
【図１０】本考案における第８実施例の対になった着用物の模式図である。
【考案を実施するための形態】
【００１０】
図１及び図２ａは、本考案の対になった着用物における第１実施例の模式図である（組み合わせ前）。
【００１１】
第１実施例では対になった着用物１を挙げるが、材質としては、皮革、繊維布又はエマルジョン等の材料を使用可能である。当該第１着用部１０の形状と当該第２着用部２０の形状は同じであり、且つ、靴下の対、手袋の対又は袖カバーの対等を対になった着用物１として提供可能である。
【００１２】
当該対になった着用物１は、第１着用部１０及び第２着用部２０を含み、当該第１着用部１０が第１開口部１１及び第１被覆部１２を備え、当該第２着用部２０が第２開口部２１及び第２被覆部２２を備える。
当該対になった着用物１は、更に第１接続部材３０及び第２接続部材４０を含み、当該第１接続部材３０が当該第１着用部１０に設けられ、当該第２接続部材４０が当該第２着用部２０に設けられる。当該第一接続部材３０と第２接続部材４０は、当該第１着用部１０と当該第２着用部２０を組み合わせる（図３参照）べく、互いに結合可能である。関連部材の更なる特徴について、以下に順を追って説明する。
【００１３】
当該第１開口部１１及び第１被覆部１２は連接しており、且つ同じ材質によって形成可能である。当該第２開口部２１及び第２被覆部２２についても同様である。
【００１４】
当該第１接続部材３０は当該第１着用部１０に設けられ、当該第２接続部材４０は当該第２着用部２０に設けられる。これらは、当該第１着用部１０と当該第２着用部２０を組み合わせるべく、縫い付け、接着等によって対応する第１着用部１０及び第２着用部２０の任意の位置に固定すればよい。好ましくは、第１接続部材３０を第１開口部１１に設け、第２接続部材４０を第２開口部２１に設ける。
【００１５】
当該第１接続部材３０はボタン３１を含んでもよい。当該ボタン３１は、一つ或いは一つ以上の縫い付け用孔を備えた一般的なボタンであればよく、材質は金属、プラスチック又は複合材料等が可能である。
【００１６】
当該第２接続部材はボタン掛合部４１を含んでもよい。当該ボタン掛合部４１は、切欠き４１１又は弾性リング（図示しない）としてもよい。また、当該ボタン掛合部４１は、当該ボタン３１と十分に接続可能な外形とされる。即ち、挿通、嵌合、掛合等によりボタン３１と結合する。
【００１７】
このように、第１着用部１０と第２着用部２０は、使用者に着用されていない場合に、第１接続部材３０と第２接続部材４０により組み合わせ可能なため、簡単にばらばらとなることがない。
具体的に、本実施例は次のような場合に効果的である。例えば、同時に複数組の靴下を洗濯したいが、これら複数組の靴下にサイズ違いのものや、同じ色のもの、或いはデザインが類似したものがある場合、使用者は洗濯機で洗浄する前に、対となった靴下を組み合わせておく。これにより、対になった着用物１を洗濯後に使用者が干したり収納したりする際に、分類のための時間を節約可能となる。同様に、使用済みの対になった着用物１を脱ぐ際に、使用者がこれらを組み合わせてから洗濯かごに入れるようにすれば、洗濯する者の負担を更に軽減可能となる。
【００１８】
以上、本考案における第１実施例の対になった着用物について説明した。続いて、本考案における第２実施例の対になった着用物について説明する。図２ｂは、第２実施例の対になった着用物の模式図（組み合わせ前）を示す。
【００１９】
第２実施例における対になった着用物２と第１実施例の対になった着用物１は類似しているが、以下の点で異なる。即ち、当該第１接続部材３０は保護層５０を更に含み、当該保護層５０もまた縫い付け或いは接着等により第１着用部１０に固定すればよい。ボタン３１は保護層５０上に配置されてから第１着用部１０に接続される。また、保護層５０の材質としては生地又はプラスチックが可能であり、長方形又は不規則形等の形状とすればよい。
【００２０】
当該保護層５０を設ける理由としては、対になった着用物１を洗濯機に入れると洗濯過程で多くの衣類により引っ張り力が発生するが、当該ボタン３１を保護層５０に直接設けておけば、過度な引っ張り力が発生しても第１着用部１０が直接破損することを回避可能なためである。従って、保護層５０を縫い付け又は接着により第１着用部１０に固定するが、縫い付け又は接着により発生する糸や糊の残りは保護層５０の裏に隠されるので、第１着用部１０の外観に影響することはない。
【００２１】
第２接続部材４０もまた他の保護層（図示しない）を含んでもよく、ボタン掛合部４１は保護層上に配置されてから第２着用部２０に設けられる。
【００２２】
以上、本考案における第２実施例の対になった着用物について説明した。続いて、本考案における第３実施例の対になった着用物について説明する。図４及び図５ａは、それぞれ第３実施例の対になった着用物３の模式図及び部分断面図を示す。
【００２３】
第３実施例の対になった着用物３と第１実施例の対になった着用物１は類似しているが、以下の点で異なる。即ち、第１接続部材３０が磁性部材３２を含み、当該第２接続部材４０が磁化可能物質４２を含むことで、第１接続部材３０と第２接続部材４０が磁力によって吸着されて結合可能となる。以下に、更に説明する。
【００２４】
図５ａを参照する。当該磁性部材３２は受け台３２１及び磁石３２２を含んでもよく、当該受け台３２１は当該第１着用部１０に配置され、縫い付け又は接着等により第１着用部１０に固定される。
【００２５】
受け台３２１は厚みのあるブロック状材料であり、表面に凹溝３２１１を備える。当該凹溝３２１１は収容空間を形成し、当該収容空間に磁石３２２を収容可能である。磁石３２２は、容易に抜け落ちないよう緊合又は接着等により凹溝３２１１内に固定される。また、受け台３２１の材質としては、軟質ゴム又はプラスチック片又は弾性金属等の材料が可能である。これにより、受け台３２１を第１着用部１０に結合した上で使用者が第１着用部１０を装着した場合に、より皮膚に密着するので不快感を与えることがない。
【００２６】
磁性部材３２は更に保護膜３２３を含んでもよい。当該保護膜３２３は、当該受け台３２１内に設けられて磁石３２２の上方を覆う。保護膜３２３は防水や防塵等の機能を備えてもよく、材質としてはプラスチック片、ラバーシート又は皮革等の薄型或いは金属の被膜材料が可能である。なお、保護膜３２３の厚みが磁石３２２の磁力に影響することはない。
【００２７】
第２接続部材４０は磁化可能物質４２を含めばよく、表面に凸状ブロック４２１が形成される。且つ、当該磁化可能物質４２は強磁性材料からなり、例えば鉄、ニッケル、コバルト等の磁石による吸引特性を持つ金属である。また、磁化可能物質４２の凸状ブロック４２１は凹溝３２１１に嵌合可能である。
【００２８】
更に、図５ａは第１着用部１０及び第２着用部２０の部分断面図である。凹溝３２１１と凸状ブロック４２１の形状は一致しており、且つ、凸状ブロック４２１と凹溝３２１１は磁力により嵌合するとともに、磁力吸着作用を有している。よって、使用者が第１着用部１０と第２着用部２０を分離したい場合には、組み合わせ時の一方向からのみ第１着用部１０と第２着用部２０を分離可能であって、他の方向からは分離しにくい。これより、第１着用部１０と第２着用部２０を組み合わせて洗濯機で洗浄する際の分離リスクを低下させることが可能となる。
【００２９】
以上、本考案における第３実施例の対になった着用物について説明した。続いて、本考案における第４実施例の対になった着用物について説明する。図５ｂは、第４実施例の対になった着用物４の部分断面図（組み合わせ後）を示す。
【００３０】
第４実施例の対になった着用物４と第３実施例の対になった着用物３は類似しているが、以下の点で異なる。即ち、当該第１接続部材３０は保護層５０を更に含んでもよく、当該保護層５０もまた縫い付け或いは接着等により第１着用部１０に固定すればよい。
磁性部材３２は保護層５０上に配置されてから第１着用部１０に接続される。また、保護層５０の材質としては生地又はプラスチックが可能であり、長方形又は不規則形等の形状とすればよい。第２接続部材４０もまた他の保護層（図示しない）を含んでもよく、磁化可能物質４２は保護層（図示しない）上に配置されてから第２着用部２０に設けられる。
【００３１】
以上、本考案における第４実施例の対になった着用物について説明した。続いて、本考案における第５実施例の対になった着用物について説明する。図６，図７は、第５実施例の対になった着用物５の模式図（組み合わせ前）を示す。
【００３２】
第５実施例の対になった着用物５は第３実施例の対になった着用物３と類似しているが、以下の点で異なる。即ち、当該第１接続部材３０は更に接着部材３３を含み、当該第２接続部材４０が接着物４３を含むことで、第１接続部材３０と第２接続部材４０が接着により結合可能となる。以下に、更に説明する。
【００３３】
更に図７を参照する。接着部材３３は直接的又は間接的に（例えば保護層５０を介して）第１着用部１０に設けられればよく、且つ、受け台３３１及び繊維接着シート３３２を含んでもよい。受け台３３１は凹溝３３１１を備えてもよく、凹溝３３１１に当該繊維接着シート３３２を収容可能である。また、繊維接着シート３３２は面ファスナーとしてもよく、表面には更に軟質のフック状物３３２１が複数備えられる。
【００３４】
接着物４３は直接的又は間接的に第２着用部２０に設けられればよく、且つ、他の繊維接着シート４３１としてもよい。また、繊維接着シート４３１は、凹溝３３１１に内に装入可能な寸法及び形状とされる。これより、第１着用部１０と第２着用部２０を分離したい場合には、組み付け時の一方向からのみ第１着用部１０と第２着用部２０を分離可能であって、別の方向からは分離しにくい。よって、不測の分離リスクが低下する。
【００３５】
図７は、第５実施例の対になった着用物５の部分断面図（組み合わせ前）を示す。
【００３６】
第１接続部材３０と第２接続部材４０を組み合わせると、第１接続部材３０の繊維接着シート３３２と第２接続部材４０の繊維接着シート４３１とが互いに貼りあわされる。このとき、繊維接着シート４３１表面の軟質ナイロンリング４３１１が繊維接着シート３３２の軟質フック状物３３２１に掛着可能なことから、両者が結合される。繊維接着シート３３２及び繊維接着シート４３１は更に湾曲特性を備えるため、第１着用部１０と第２着用部２０とともに湾曲可能である。
【００３７】
以上、本考案における第５実施例の対になった着用物について説明した。続いて、本考案における第６実施例の対になった着用物について説明する。図８は、第６実施例の対になった着用物６の模式図（組み合わせ前）を示す。
【００３８】
第６実施例の対になった着用物６は第１実施例の対になった着用物１と類似しているが、以下の点で異なる。即ち、当該第１接続部材３０は更に銅ボタン３４を含み、当該第２接続部材４０は銅ボタン押圧部４４を含んでもよい。且つ、銅ボタン押圧部４４はスナップボタンとしてもよく、これにより、第１接続部材３０と第２接続部材４０が押圧等により互いに係合可能となる。
【００３９】
図９及び図１０は、第７及び第８実施例の対になった着用物の模式図（組み合わせ前）を示す。
【００４０】
第７及び図８実施例の対になった着用物は第１実施例の対になった着用物１と類似しているが、以下の点で異なる。即ち、当該第１接続部材３０は更にバンド３５を含み、当該第２接続部材４０は別のバンド４５又は切欠き３５１としてもよい。当該バンド３５及び４５の材質としては、弾性ベルト、布紐又はプラスチック紐等が可能である。当該バンド３５は、当該切欠き３５１に挿入可能である。或いは、バンド４５と結び合わせたり巻き付けたりすることで結び目又はリボンなどの形状を形成し、且つ異なる材質を組み合わせることで、第１接続部材３０と第２接続部材４０を結合可能とする。
【００４１】
なお、図８〜１０に示す第１及び第２接続部材は、直接的又は間接的に第１着用部１０及び第２着用部２０に（例えば保護層を介して）設けることが可能であり、その方法としては、縫い付け又は接着等が可能である。
【００４２】
以上、本考案の各実施例における対になった着用物によれば、従来技術の欠点を効果的に改善可能である。且つ、対となった各種デザインの着用物に対し実施可能なことから、使用における柔軟性と利便性に優れる。
【００４３】
上記の実施例は本考案の実施形態を例示し、本考案の技術的特徴を詳細に説明するためのものにすぎず、本考案の保護の範囲を限定する主旨ではない。当業者が容易に成し得る変更又は均等な調整は、いずれも本考案が主張する範囲に包括される。なお、本考案の権利範囲は、実用新案登録請求の範囲に準じるものとする。
【符号の説明】
【００４４】
１〜８    対になった着用物
１０      第１着用部
１１      第１開口部
１２      第１被覆部
２０      第２着用部
２１      第２開口部
２２      第２被覆部
３０      第１接続部材
３１      ボタン
３２      磁性部材
３２１    受け台
３２１１  凹溝
３２２    磁石
３２３    保護膜
３３      接着部材
３３１    受け台
３３１１  凹溝
３３２    繊維接着シート
３３２１  軟質フック状物
３４      銅ボタン
３５      バンド
３５１    切欠き
４０      第２接続部材
４１      ボタン掛合部
４１１    切欠き
４２      磁化可能物質
４２１    凸状ブロック
４３      接着物
４３１    繊維接着シート
４３２１  軟質ナイロンリング
４４      銅ボタン押圧部
４５      バンド
５０      保護層
【図１】
0003196871.tif 000003
【図２ａ】
0003196871.tif 000004
【図２ｂ】
0003196871.tif 000005
【図３】
0003196871.tif 000006
【図４】
0003196871.tif 000007
【図５ａ】
0003196871.tif 000008
【図５ｂ】
0003196871.tif 000009
【図６】
0003196871.tif 000010
【図７】
0003196871.tif 000011
【図８】
0003196871.tif 000012
【図９】
0003196871.tif 000013
【図１０】
0003196871.tif 000014